(57)【要約】トイレの床面に埋設され、和風便器の故障または破損時に和風便器の改修および取替えが容易になる和風便器の固定枠が開示されている。本発明による和風便器の固定枠は、高さが和風便器よりも大きな箱状または無定形を呈し、和風便器の少なくとも３側面の支持台が載置できる大きさを有する和風便器載置部が形成され、一側面に給水管が位置すべく給水管接続具が形成され、底面には和風便器の排水口に対応する汚水管が位置すべく汚水管接続具が形成される。これにより、従来のトイレの床面に取り付けられた和風便器と同じまたはそれに類似した形状を呈しつつも、和風便器の取り付けが簡単であり、しかも、取り付け後にも和風便器の改修および取替えが容易になる効果がある。
2005534835.tif 000002
【特許請求の範囲】
【請求項１】
和風便器の固定枠であって、
高さが和風便器よりも大きな箱状または無定形を呈し、
和風便器の少なくとも３側面の支持台が載置できる大きさを有する和風便器載置部が形成され、
一側面に給水管が位置すべく給水管接続具が形成され、
底面には和風便器の排水口に対応する汚水管が位置すべく汚水管接続具が形成された和風便器の固定枠。
【請求項２】
前記和風便器載置部は、前記和風便器の４側面の支持台が載置できる大きさを有することを特徴とする請求項１に記載の和風便器の固定枠。
【請求項３】
前記上面には、配管作業を行い易くするための配管作業部がさらに形成されている請求項２に記載の和風便器の固定枠。
【請求項４】
前記和風便器載置部のうち前記和風便器の支持台が載置されていないスペース部に対応する蓋体をさらに備えた請求項１に記載の和風便器の固定枠。
【請求項５】
前記配管作業部に対応する蓋体をさらに備えた請求項３に記載の和風便器の固定枠。
【請求項６】
前記底面は、前記和風便器のサイホン部に対応する受け部をさらに有し、
和風便器の取り付けに当たり、前記受け部に前記サイホンが載置されて和風便器の揺らぎが防がれることを特徴とする請求項１から５のうち何れか１項に記載の和風便器の固定枠。
【請求項７】
前記上面、４側面、底面のうち何れか一つまたは二つ以上は、コンクリート構造物からなることを特徴とする請求項１から５のうち何れか１項に記載の和風便器の固定枠。
【請求項８】
前記給水管と前記給水口を繋ぎ合う連結管をさらに有し、
前記和風便器の支持台に対応するパッキンと、前記和風便器の排水口に対応するパッキンと、をさらに有するが、
和風便器の取り付けは、前記連結管とパッキンを用いて行うことを特徴とする請求項１から５のうち何れか１項に記載の和風便器の固定枠。
【請求項９】
前記連結管は可撓性であり、前記パッキンはゴム製であることを特徴とする請求項７に記載の和風便器の固定枠。
【発明の詳細な説明】
【技術分野】
【０００１】
この発明は、和風便器の固定枠に係り、より詳細には、トイレの床面に埋設され、和風便器の故障または破損時に和風便器の改修および取り替えが容易になる和風便器の固定枠に関するものである。
【背景技術】
【０００２】
通常、和風便器を建物の床面内に設けるために、和風便器に給水管と汚水管を連結させ、和風便器の周りをセメントと砂の混合コンクリートで打ち込んで固定させる。和風便器の周りのセメントは、和風便器を固定する固定枠の役割を果たす。
【０００３】
ところが、和風便器が故障したり破損した場合には、和風便器を改修したり取替えするために和風便器を固定しているコンクリートを撤去しなければならないという不具合があった。また、これらのコンクリートを撤去する過程で、和風便器、給水管、および汚水管などが破損する場合が頻繁に起こっていた。
【０００４】
上記の如き問題を解決するために、特許文献１に和風便器が開示されている。この明細書において、和風便器は、トイレの床面から上方に延びてその床面に位置し、一対の足置き台が前記和風便器の両側にそれぞれ配される。
【０００５】
しかしながら、この種の和風便器は、トイレの床面の上部に和風便器が取り付けられるためにトイレの床面を掃除し難く、用便をするためにはトイレの床面よりも上方に位置した足置き台の上に上がる必要があり、便器の使用が容易でなかった。特に、年寄りや子供にとっては、この種の和風便器の使用が安全を脅かすなどの不具合があった。
【特許文献１】韓国公開実用新案第１９９１−２７２１号公報（出願番号１９８９−１０８５０号公報）
【発明の開示】
【発明が解決しようとする課題】
【０００６】
本発明は上記事情に鑑みてなされたものであり、その目的は、トイレの床面に埋設され、上部に和風便器が載置され、載置された和風便器の故障または破損時に和風便器を改修および取替えし易い和風便器の固定枠を提供するところにある。
【課題を解決するための手段】
【０００７】
前記目的を達成するために、本発明による和風便器の固定枠は、高さが和風便器よりも大きな箱状または無定形を呈し、和風便器の少なくとも３側面の支持台が載置できる大きさを有する和風便器載置部が形成され、一側面に給水管が位置すべく給水管接続具が形成され、底面には和風便器の排水口に対応する汚水管が位置すべく汚水管接続具が形成される。
【０００８】
和風便器の３側の支持台だけが載置される大きさの和風便器載置部は、１側面が空中に浮いている状態であるため、上部から力が加えられる場合、和風便器が離脱する場合がある。このため、和風便器載置部は、和風便器の４側面の支持台が載置できる大きさであることが望ましい。
【０００９】
和風便器載置部が和風便器の４側面と面一になっている場合には、和風便器載置部の隣りに配管作業を容易にするための配管作業部がさらに形成されていることが望ましい。
【００１０】
前記和風便器の３側面が和風便器載置部に載置される場合には、和風便器の離脱を防ぐために、和風便器が載置されていないスペース部に対応する蓋体をさらに有することが望ましい。
【００１１】
配管作業部が形成された場合には、配管作業部に汚れが落ちたり、ユーザが足を踏み間違ってケガをしたりする可能性があるため、配管作業部を密閉空間にするために配管作業部に対応する蓋体をさらに有することが望ましい。
【００１２】
和風便器の離脱または揺らぎを防ぐために、和風便器の固定枠の底面は、和風便器のサイホン部に対応する受け部をさらに有することが望ましい。
【００１３】
和風便器の固定枠の上面、４側面、底面の中から何れか一つまたは二つ以上は、コンクリート構造物から形成されも構わない。
【００１４】
和風便器の固定枠に和風便器を取り付けるに当たり、付属品の効率的な供給および連結部の密閉のために、和風便器の固定枠には、給水管と給水口を繋ぎ合う連結管と、和風便器の支持台に対応するパッキンと、和風便器の排水口に対応するパッキンと、をさらに有することが望ましい。
【００１５】
前記連結管は、作業の便利性のために可撓性であることが望ましく、かつ、前記パッキンは、密閉性に優れたゴム製であることが望ましい。
【発明を実施するための最良の形態】
【００１６】
以下、実施の形態を挙げて本発明を詳細に説明する。しかし、これらの実施の形態は単なる例示的なものに過ぎず、本発明がこれらの実施の形態に限定されることはない。
【実施例１】
【００１７】
図１は、本発明の実施の形態１による和風便器の固定枠であって、和風便器１０は、周り方向に受け材１４が形成されており、受け材１４の前方には給水口１２が設けられている。また、受け材１４の下部には下方に凸状のサイホン部１６と排水口１８が形成されている。
【００１８】
和風便器１０が取り付けられる和風便器の固定枠は、和風便器１０よりも高い箱状であって、上面には和風便器載置部２０が形成され、前方には給水管接続具３０が形成され、そして底面には汚水管接続具４０が形成されている。
【００１９】
和風便器の固定枠の全体像は、箱状（立方体）であることが望ましいが、本発明はこれに限定されることなく、底面を曲げ処理または丸め処理した形状であっても良い。すなわち、これは、和風便器の固定枠の見掛けをきれいにするための単なる設計変更に過ぎない。  但し、和風便器の固定枠の上面は平らであることが望ましい。
【００２０】
和風便器載置部２０は、和風便器受け材１４が４側面に結合さるべく形成される。このとき、和風便器受け材１４と和風便器載置部２０間には受け材ゴムパッキン２２を挟み込むことで、和風便器受け材１４と和風便器載置部２０間の摩擦を減らし、臭いの拡散を遮断すると共に、和風便器１０の揺らぎを防ぐことができる。
【００２１】
この実施の形態によれば、給水管接続具３０に給水管３２が位置する。そして、和風便器載置部２０の前面部（図中では左側）には配管作業部５０が形成されている。配管作業部５０は、和風便器１０を和風便器載置部２０に載置した後、給水管３２と給水口１２を連結管３４により繋ぎ合うための作業スペースである。連結管３４は通常のパイプであるが、フレキシブルな素材の管（可撓性管）から形成して作業の便利性を図っても良い。
【００２２】
汚水管接続具４０には汚水管４２が貫通して位置する。和風便器１０が和風便器載置部２０に載置されると、和風便器１０の排水口１８が汚水管４２にはめ込まれる。排水口１８と汚水管４２間には排水口ゴムパッキン４４が嵌め込まれて排水口１８と汚水管４２間の摩擦を減らすと共に、汚水管４２からの臭いを遮断する。
【００２３】
前記の如き構成による和風便器の固定枠に和風便器１０を取り付ける方法は、下記の通りである。
【００２４】
まず、トイレを建てるとき、あるいはトイレの床面を改築するときにトイレの床面に本発明による和風便器の固定枠を取り付けるが、給水管接続具３０と汚水管接続具４０には給水管３２と汚水管４２を貫通させる。和風便器の固定枠の外部はセメントで充填されて保養され、セメントの上部にはタイルが敷かれることが望ましい。
【００２５】
そして、和風便器１０を上部から和風便器載置部２０に載置するが、排水口１８を汚水管４２にはめ込む。次に、給水管３２と給水口１２を連結管３４により繋ぎ合う。そして、蓋体６０を用い、前方にある配管作業部５０の上端部を閉じて仕上げることにより、設置が終わる。
【００２６】
そして、このようにして取り付けられた和風便器１０を交換または改修するためには、前方にある蓋体６０を開き、連結管３４に繋がっている給水管３２と給水口１２を取り外す。続けて、和風便器１０を分離して交換または改修を行った後、再設置を行う。
【００２７】
そして、このように和風便器１０を改修または取替えするために、セメントの床面やコンクリートの床面を破損することなく、手軽に取替えおよび改修が行える。そして、改修または取替えに当たり、和風便器１０と給水管３２および汚水管４２にさらなる破損を生じさせない。
【実施例２】
【００２８】
図２は、本発明の実施の形態２による和風便器の固定枠であって、実施の形態１とは異なり、和風便器載置部２０が３側面に形成され、蓋体６０は長方形の突部６２を有する。  蓋体６０の一側部（図２における右側）は、和風便器１０の全面部の受け材１４（図２における左側）の下部に滑り込まれる。蓋体６０は、和風便器１０の左側部を支えなければならないため、強い材質からなることが望ましい。
【実施例３】
【００２９】
図３は、本発明の実施の形態３による和風便器の固定枠であって、実施の形態１とは異なり、図１に示す配管作業部５０が存在しない。
【００３０】
このため、実施の形態３においては、和風便器１０の取り付けおよび撤去作業に当たり、作業の順番が変わる。まず、和風便器１０を和風便器載置部２０に載置する前に、給水管３２と給水口１２を連結管３４により繋ぎ合う。次に、連結管３４を和風便器載置部２０内に押し込みつつ、和風便器１０を和風便器載置部２０に載置する。和風便器１０を載置するに当たり、連結管３４が曲がるため、連結管３４はフレキシブルなものである必要がある。
【実施例４】
【００３１】
図４は、本発明の実施の形態４による和風便器の固定枠であって、実施の形態１に受け部７０がさらに形成されている。受け部７０は、和風便器１０のサイホン部１６に対応し、サイホン部１６が受け部７０に載置されて支持される。このため、和風便器１０は実施の形態１のものよりも揺らぎが減り、かつ、和風便器１０の重量の一部を支持する。
【００３２】
実施の形態４は、実施の形態１乃至実施の形態３に追加的に適用可能である。
【００３３】
実施の形態４を変形して、サイホン部１６だけではなく、他の部分に受け部を形成しても良い。
【００３４】
実施の形態１、２および実施の形態４では蓋体６０に、そして実施の形態３では和風便器載置部２０の前面（図中では左側）にフラッシュ弁を取り付けることにより、給水管３２と連結管３４間または連結管３４と給水口１２間に挟み込んでも良い。また、給水管接続具３０に位置する前に給水管３２にフラッシュ弁を取り付けても良い。フラッシュ弁は、手押し力または足踏み力により、蓋体６０に取り付ける場合には蓋体６０が破損する恐れがあるため、本発明による和風便器の固定枠の外部のセメント床面に取り付けることが望ましい。
【産業上の利用可能性】
【００３５】
以上述べたように、本発明によれば、従来のトイレの床面に取り付けられた和風便器と同じまたはそれに類似した形状を呈しつつも、和風便器の取り付けが簡単であり、しかも、取り付け後にも和風便器の改修および取替えが容易になる効果がある。
【図面の簡単な説明】
【００３６】
【図１】本発明の実施の形態１による和風便器の固定枠の分解斜視図、
【図２】本発明の実施の形態２による和風便器の固定枠の分解斜視図、
【図３】本発明の実施の形態３による和風便器の固定枠の分解斜視図、
【図４】本発明の実施の形態４による和風便器の固定枠の分解斜視図。
【図１】
2005534835.tif 000003
【図２】
2005534835.tif 000004
【図３】
2005534835.tif 000005
【図４】
2005534835.tif 000006
【国際調査報告】
2005534835.tif 000007